(57)【要約】　　　（修正有）【課題】非常に柔らかい塗布表面を有する一方で、比較的高いメーキャップ効果を得ることができる塗布装置を製造すること。【解決手段】製品（Ｐ）を塗布するための装置であって、支持部（１１）のほぼ全長にわたって途切れることなく広がる少なくとも１つの凸凹のない表面（１２）を画定している支持部（１１）を具備し、該表面（１２）は、塗布装置に製品を載せることを可能にすることができる塗布装置による製品の取り上げを可能にする、裸眼で知覚可能および／または触覚で知覚可能な不均一なフロック加工層表面が画定されるように、少なくとも２つの異なる繊維の混合（１３）からなるフロック加工層によって少なくとも部分的に被覆されている、塗布装置（１０）に関する。【選択図】　　図１
2004000587.tif 000002
【特許請求の範囲】
【請求項１】
製品（Ｐ）を塗布するための装置であって、支持部（１１）のほぼ全長にわたって途切れることなく広がる少なくとも１つの凸凹のない表面（１２）を画定している支持部（１１）を具備し、該表面（１２）は、塗布装置による製品の取り上げを可能にする、裸眼で知覚可能および／または触覚で知覚可能な不均一なフロック加工層表面が画定されるように、少なくとも２つの異なる繊維（１３）の混合より形成されたフロック加工層によって少なくとも部分的に被覆されている、塗布装置（１０）。
【請求項２】
繊維の混合は、２ないし９８％、好適には５ないし９５％、さらに好適には１０ないし９０％の第一の種類の繊維（１３）を含むことを特徴とする請求項１に記載の装置。
【請求項３】
該混合は、異なる長さ、直径、断面、性質および／または色の繊維（１３）を含み、該繊維は、長さが０．０１ないし３ｍｍの範囲で；直径が０．０１から０．６ｍｍの範囲で；断面が円形、楕円形、多角形、十字形、三葉、四葉、「Ｃ」「Ｅ」「Ｆ」「Ｈ」「Ｉ」「Ｌ」「Ｎ」「Ｓ」「Ｔ」「Ｖ」「Ｗ」「Ｘ」「Ｙ」「Ｚ」形状、星型、または三日月型で；ポリアミド、ポリアクリル、ポリエステル、コットンまたはセルロース繊維である繊維から選択されることを特徴とする、請求項１または２に記載の装置。
【請求項４】
混合は、直毛繊維（１３）と湾曲繊維からなることを特徴とする、請求項１ないし３のいずれか１項に記載の装置。
【請求項５】
支持部（１１）の全表面（１２）がフロック加工層に被覆されていることを特徴とする、請求項１ないし４のいずれか１項に記載の装置。
【請求項６】
支持部（１１）は、軸Ｘに沿って細長い形状をしており、特に、円筒形、円錐形、台形円錐または角柱形状、直毛または湾曲、あるいは、羽、ラグビーボール、豆、ヘラの形状であることを特徴とする、請求項１ないし５のいずれか１項に記載の装置。
【請求項７】
支持部（１１）の断面は、円形、楕円形、三角形、矩形、正方形であることを特徴とする、請求項６に記載の装置。
【請求項８】
軸Ｘに沿って２つの連続的な繊維（１３）が互いにほぼ平行して、特に軸Ｘに対して直角に植毛されることを特徴とする、請求項６または７に記載の装置。
【請求項９】
支持部（１１）は、特に熱可塑性材料、ガラス、金属または木材といった硬質または半硬質の材料、または、特にエラストラマーといった柔軟な材料からなることを特徴とする、請求項１ないし８のいずれか１項に記載の装置。
【請求項１０】
該装置は、特に柄の形状をした把持部材（３０；４０）をさらに具備することを特徴とする、請求項１ないし９のいずれか１項に記載の装置。
【請求項１１】
把持部材（３０；４０）は、軸Ｘに沿って形成されることを特徴とする、請求項１０に記載の装置。
【請求項１２】
支持部（１１）と把持部材（３０；４０）は、一体成形によって得られることを特徴とする、請求項１０または１１に記載の装置。
【請求項１３】
把持部材（３０；４０）は、接着、クランピング、スナップ嵌合、圧着により支持部に固定されることを特徴とする、請求項１０または１１に記載の装置。
【請求項１４】
その自由端（２３；２２３）が開口部（２４；２２４）を画定する、塗布されるべき製品を収容するためのリザーバ（２０；２２０）と、該リザーバの開口部（２４；２２４）を水密的に閉鎖するための閉蓋部材（３０）と、上記請求項１ないし１３のいずれか１項に記載の塗布装置（１０；２１０）を具備する収容塗布アセンブリ（１００；２００）。
【請求項１５】
塗布装置（１０）は、閉蓋部材（３０）に固定されており、閉蓋部材（３０）がリザーバ（２０）を閉鎖する時に該リザーバ内部に収容されることを特徴とする、請求項１４に記載のアセンブリ。
【請求項１６】
リザーバ（２０）は、塗布装置（１０）のリザーバからの取り出し時に、塗布部材（１０）のフロック加工層と、状況に応じて柄部（４０）もふき取ることができる、開口部近傍に配置されたふき取り部材（５０）を含み、該ふき取り部材（５０）は、発泡体、エラストマー、または熱可塑性材料からなり、任意でフロッキングで被覆されることを特徴とする、請求項１４または１５に記載のアセンブリ。
【請求項１７】
装置（２１０）は、球形であり、リザーバ内部で回転できるように容器の開口部（２２４）に装着されることを特徴とする、請求項１４に記載のアセンブリ。
【発明の詳細な説明】
【０００１】
【発明の属する技術分野】
本発明は、フロック加工された塗布表面を有する、化粧品等の製品を塗布するための装置に関する。
【０００２】
【従来の技術と発明が解決しようとする課題】
メーキャップの分野では、特にマスカラ、アイライナー、リップグロス等を塗布するためにフロック加工された塗布表面を含むアプリケータが通常使用される。これら全てのアプリケータは概して１種類の繊維で覆われており、その繊維の特性は塗布される製品に応じて選択される。
【０００３】
しかし、１種類の繊維を有するフロッキングで覆われたアプリケータには多くの欠点がある。一方で、フロッキングの繊維が同一であるから、それらは比較的均一の塗布表面を形成する。さらに繊維が非常に緊密に植毛されるから、繊維間に間隙を形成せず、よって塗布表面に多量の製品を保持することができない。従って、得られるアプリケータは、非常に密な塗布表面を有し、該表面に多くの製品を留めることができず、メーキャップされる表面に多量の製品を運ぶことができない。さらに、塗布表面が非常に密にフロック加工されるので、メーキャップされるべき表面に塗布された少量の製品が、アプリケータがそれを通り過ぎる際に繊維によってしばしば除去される。従って、この種類のアプリケータによって高いメーキャップ効果を得ることは非常に困難である。さらに、非常に大きな直径を有する繊維が使用された場合に得られる塗布表面は比較的硬く、メーキャップされるべき表面を刺激しやすい。他方で、過度に小さな直径を有する繊維を使用すると、優しい塗布が可能になるが、アプリケータは十分な製品を保持できず、従って、メーキャップされるべき表面に十分な製品量を付けることができない。
【０００４】
従って、本発明の目的の１つは、上記の先行技術の課題を有さない塗布装置を製造することである。
【０００５】
特に、本発明の目的は、非常に柔らかい塗布表面を有する一方で、比較的高いメーキャップ効果を得ることができる塗布装置を製造することである。
【０００６】
本発明のさらなる目的は、塗布表面を覆うフロッキングの繊維の種類を変更するだけで様々な種類の製品を塗布するために使用することが可能となる塗布装置を製造することである。
【０００７】
【課題を解決するための手段】
本発明によると、これらの目的は、製品を塗布するための装置であって、支持部のほぼ全長にわたって途切れることなく広がる少なくとも１つの凸凹のない表面を画定している支持部を具備し、該表面は、塗布装置による製品の取り上げを可能にする、裸眼で知覚可能および／または触覚で知覚可能な不均一なフロック加工層表面が画定されるように、少なくとも２つの異なる繊維の混合によって形成されたフロック加工層によって少なくとも部分的に被覆されている装置、を製造することによって達成される。
【０００８】
フロック加工層は、フロック加工すべき表面を含浸または噴霧等によって接着剤で被覆し、フロッキング材料となる繊維を静電法によってそこに付着させることにより得られる。そのような方法によると、繊維をフロック加工される表面の面に対してほぼ垂直に配向させることができる。このように、繊維は、支持部の接着剤で被覆された表面上に均一に施される。従って、フロック加工層で覆われた塗布装置の全体的な形状は、付加されたフロック加工層の厚みを除けば、該層が被覆される前の支持部の形状とほぼ同様なものとなる。
【０００９】
「凹凸のない表面」という語は、フロック加工層の表面に不均一さを生じさせることができる変形が全くない表面を意味し、フロック加工層の表面に表れる不均一性は、フロッキングを形成する繊維の差異によってのみ生じる。そのような表面が同一の繊維からなるフロッキングによって被覆されると、フロッキングの表面には裸眼で可視できるほどの不均一性は生じない。そのような表面には、特に裸眼で可視できるような線、スリットまたは歯状部分はない。
【００１０】
「ほぼ全長」という語は、少なくとも長さの半分、好適には長さの少なくとも７５％を意味する。
【００１１】
裸眼で知覚可能な不均一さは、例えば、特に異なる長さの繊維の使用によりフロック加工層の表面に凹凸ができることによって生じうる。またそれらは、特に異なる直径または異なる断面の繊維の使用により単位面積あたりの繊維の密度が異なることによって生じうる。触覚により知覚できる不均一さは、例えば、異なる硬さを有する材料からなる繊維等、特に異なる性質の繊維を使用することにより、表面上で感じることができる硬さが異なることによって生じる。繊維の長さが異なることによっても、触れると知覚されるような変化を生み出すことができる。
【００１２】
繊維の混合は、２ないし９８％、好適には５ないし９５％、さらに好適には１０ないし９０％の第一の種類の繊維を含む。
【００１３】
フロッキングは、例えば性質および／または寸法が異なる繊維からなる。該混合は、特に、異なる長さ、直径、断面、性質および／または色の繊維を含む。用語「直径」は、断面が円形の場合にはその円の直径を意味し、あるいは、それが円形でない場合には、断面の外接円の直径を意味する。
【００１４】
繊維は、例えば、長さが０．０１ないし３ｍｍの範囲で、直径が０．０１から０．６ｍｍの範囲の繊維から選択される。また、繊維の断面は、円形、楕円形、多角形、十字形、三葉、四葉、「Ｃ」「Ｅ」「Ｆ」「Ｈ」「Ｉ」「Ｌ」「Ｎ」「Ｓ」「Ｔ」「Ｖ」「Ｗ」「Ｘ」「Ｙ」「Ｚ」形状、星型、または三日月型であってよい。繊維は、例えばナイロン（登録商標）等のポリアミド、ポリアクリル、ポリエステル、コットン、または例えばビスコースまたはレーヨン等のセルロースであってよい。最後に、繊維は、いかなる色彩の繊維からも選択することができる。
【００１５】
該混合は、さらに直毛繊維と湾曲繊維からなってもよい。
【００１６】
繊維は、潤滑剤、吸収剤、アンチＵＶ剤、磁性粒子または磁化粒子、抗菌剤等の添加物を具備するないしは施されていてもよい。
【００１７】
ある実施態様によると、支持部の全表面は、フロック加工層に被覆されている。アプリケータの形状とメーキャップされるべき表面の形状に応じて、支持部の一部のみをフロック加工層によって被覆してもよいことは明らかである。
【００１８】
ある実施態様によると、支持部は、軸Ｘに沿って細長い形状をしている。支持部は、円筒形、円錐形、台形円錐または角柱形状であってよく、１または複数の軸に沿って真っ直ぐであっても湾曲していてもよい。あるいは、支持部は、羽、ラグビーボール、豆、ヘラの形状であってもよい。支持部の断面は、例えば円形、楕円形、三角形、矩形、正方形である。
【００１９】
好適には、軸Ｘに沿って２つの連続的な繊維が互いにほぼ平行して、特に軸Ｘに対して直角に植毛される。
【００２０】
ある実施態様によると、支持部は、硬質または半硬質の材料、特に熱可塑性材料、ガラス、金属または木材からなる。支持部は、柔軟な材料特にエラストラマーからなってもよい。また、支持部は、製品をある程度吸収し、よって製品を供給することができるように多孔質であってもよい。支持部は、シルバー樹脂で被覆されてもよい、磁性または磁化可能な材料からなってもよい。次に、フロッキングの繊維は、好適には、シルバーパウダー等の磁性粒子または磁化粒子を具備する。支持部は、温度を上昇させた後に塗布されるような製品の場合に、塗布装置によって取り上げられた製品が急速に冷たくならないように、十分高い熱惰性を有する材料から形成されてもよい。支持部は、例えば、高い熱容量を付与する無機充填剤その他の充填剤を高い割合で含むプラスチック材料からなってもよい。
【００２１】
塗布装置は、特に、例えば軸Ｘに沿って形成された柄の形状をした把持部材をさらに具備してもよい。当然のことながら、特に塗布を容易にするために、把持部材が支持部の軸に対してゼロではない角度をなすような構成としてもよい。
【００２２】
ある実施態様によると、支持部と把持部材は、一体成形によって得られる。あるいは、把持部材は、接着、クランピング、スナップ嵌合または圧着により支持部に固定されてもよい。
【００２３】
本発明の目的は、その自由端が開口部を画定する、塗布されるべき製品を収容するためのリザーバと、該リザーバの開口部を水密的に閉鎖するための閉蓋部材と、上記に記載の塗布装置を具備する収容塗布アセンブリを製造することによっても達成される。
【００２４】
ある実施態様によると、塗布装置は、閉蓋部材に固定されており、閉蓋部材がリザーバを閉鎖する時にリザーバ内部に収容される。
【００２５】
リザーバは、塗布装置のリザーバからの取り出し時に、塗布部材のフロック加工層と、状況に応じて柄部もふき取ることができる、開口部近傍に配置されたふき取り部材を含んでもよく、該ふき取り部材は、発泡体、エラストマー、または熱可塑性材料からなり、任意でフロッキングで被覆される。
【００２６】
さらなる実施態様によると、上記装置は、球形であり、リザーバ内部で「ロールオン」のように回転できるように容器の開口部に装着される。
【００２７】
本発明の塗布装置は、特にマスカラ、アイライナー、マニキュア液、アイシャドー、リップグロス等のメーキャップ製品、あるいは、ローション、毛根治療用製品等のケア製品を塗布するために使用することができる。
【００２８】
本発明は、上述した構成に加えて、添付図面を参照して記載された非限定的な実施態様について以下に説明する多数の他の構成からなる。
【００２９】
図１には、本発明に係るアプリケータ１０を装着させることができる、例えばマスカラを塗布するための塗布アセンブリ１００が例示的に図示されている。該アセンブリは、底部２１によって閉鎖された円筒形のリザーバ２０を具備する。リザーバの底部２１の反対側には首部２２が形成されており、該首部は、直径がリザーバより小さく、その自由端２３は開口部２４を画定する。首部２２は、水密的にリザーバ２０を閉鎖するための円筒形の袖部３０の螺子溝と螺合する螺子山を備える。袖部３０には柄部４０が固定されており、その一端はアプリケータ１０に固定されている。よって、袖部はアプリケータ１０の把持要素として使用される。柄部４０は、放射状の拡張部分４１を含み、該部分は袖部の内側に配置され、その直径は首部２２の外径とほぼ同一であって、袖部３０に固定されている。袖部３０をリザーバの首部２２に螺合すると、アプリケータは、リザーバに収容された製品Ｐに浸される。
【００３０】
【発明の実施の形態】
例えばグローブフィンガーの形状でリザーバ側に円形状のふき取りリップ５１を有するふき取り部材５０が首部へ挿入される。このグローブフィンガー５０は反対側に襟部５２を有し、該襟部は、放射状に外側に拡張しており、リザーバの首部２２上に載っている。アセンブリ１００を全て組み立てると、柄部の放射状拡張部分４１は襟部５２と接面しあうこととなり、これによって密閉作用が実現する。ふき取り部材５０はエラストマー材料または熱可塑性材料からなり、熱可塑性エラストマーまたは天然ないし合成ゴムから選択することができる。ふき取りリップ５１の少なくとも一部分は、フロック加工層で覆ってもよい。あるいは、フロック加工された発泡体ふき取り材を任意で使用することができる。
【００３１】
図１Ｂにさらに詳細に図示されたアプリケータ１０は、軸Ｘを有する、回転可能な円筒形状の支持部１１を具備する。支持部１１は、軸Ｘに沿って伸びる柄部の延長上に形成されている。あるいは、柄部の軸とゼロではない角度をなす軸Ｘを有する支持部１１を設けてもよいことは明らかである。支持部１１は、柄部と一体成形することによって得られる。あるいは、支持部１１は、柄部４０にスナップ嵌合、接着または溶着されてもよい。
【００３２】
アプリケータの支持部１１は、例えば、ショアＡ硬度が２５ないし４０のオーダーであり、熱可塑性材料、熱可塑性エラストマー、天然または合成ゴムから選択される半硬質エラストラマー材料からなる。支持部１１の表面１２は、その全長にわたり滑らかである、つまり裸眼では不均一に見えない。
【００３３】
表面１２は、次に、２つの異なる繊維１３ａと１３ｂの混合からなるフロック加工層により覆われる。繊維の混合は、約７５重量％の第一の種類の繊維１３ａと、約２５重量％の第二の種類の繊維１３ｂを含む。この２つの種類の繊維は、例えば、直径が同一で長さが異なる、円形断面のコットン繊維である。特に、繊維１３ａと１３ｂの直径は０．１ｍｍである。繊維１３ａの長さは約１ｍｍであり、繊維１３ｂの長さは約０．５ｍｍである。さらに、支持部１１の表面１２は滑らかで、不均一性がないから、繊維１３ａと１３ｂは、ほぼ平行に配置されている。繊維のこのような構造によって、フロック加工層の表面は、図１Ｂに図示されたように、凹凸を含み、均一でなくなる。これによって、２つのより長い繊維１３ａの間に空間１４が形成され、比較的多量の製品を保持することが可能となる。繊維はさらに支持部の軸Ｘに垂直に植毛されるので、製品を塗布する間、メーキャップされるまつ毛は空間１４を通過し、ある程度の製品が付与される。このように得られたアプリケータにより、比較的強いメーキャップ効果を得ることができる。さらに、繊維をより長くすることによって柔らかい塗布が可能となる。繊維１３ａと１３ｂは、特に塗布をより柔軟にするような潤滑材等の添加物を具備してもよい。
【００３４】
従って、より多くの製品を取り上げるブラシを得たい場合には、製品を保持するための空間１４をより多く得るために、より短い繊維の割合を増加させれば十分である。
【００３５】
このようなアプリケータ１０を製造するためには、第一に、例えば柄部とともに成形することによって支持部１１を形成する。次に、支持部１１の外表面１２を、アクリル、ビニルまたはエラストマーエポキシ接着剤等の液体接着剤で被覆する。接着剤は、含浸またはスプレーガンで噴霧して塗布される。支持部が多孔質である場合に支持部の全表面１２がフロック加工されたときには、製品を深く吸収し且つ所望の地点にそれを放つ支持部の機能を損なわないために、接着による被覆が確実に透水性または多孔質被覆となるようにすることが得策である。しかし、支持部１１が多孔質である場合には、接着剤を全表面には被覆しないことが有利である。
【００３６】
このように含浸された支持部１１を、次に繊維の混合１３の間に通過させる。これらの静電気的に帯電された繊維は空中を浮遊しており、静電気作用によって支持部の含浸表面に付着させられる。従って、ほとんどの場合、これらの繊維は、含浸表面に対してほぼ垂直に配向される。次に余剰繊維を吸引によって除去する。
【００３７】
図２Ａは、本発明のアプリケータ１０の第二の実施態様を示す。本アプリケータは、持部１１がポリエステルエラストマーからなる点で図１のアプリケータと異なる。さらに、支持部は柄部と別個に形成され、柄部にスナップ嵌合により固定されている。支持部１１は、ここでも回転可能な円筒形状であるが、この場合には、そのほぼ全長にわたって軸Ｘに沿って形成された切欠部１５を含む。該塗布部材は、特にフロッキングの点で上記の塗布部材とは異なり、この点を図２Ｂにおいて詳細に説明する。
【００３８】
この場合のフロック加工層は、長さが同一で直径が異なる、円形断面を有する二種類のポリアミド系繊維からなる混合により得られる。二種類の繊維１３ｃと１３ｄの長さは、例えば約０．５ｍｍである。第一の種類の繊維１３ｃの直径は０．１ｍｍであり、第二の種類の繊維１３ｄの直径は０．２ｍｍである。この混合は、８０重量％の繊維１３ｃと、２０重量％の繊維１３ｄからなる。このような混合によって、表面に沿って単位面積あたりの繊維密度が異なるフロック加工層を得ることができる。特に、直径の小さい繊維を多数具備する領域は、より大きな直径の繊維からなる領域よりも密度が高くなる。より小さな直径の繊維の存在によって塗布表面を比較的柔らかくすることができる一方で、より大きな直径の繊維によってより小さな直径の繊維同士を離間させることができるので、繊維間により大きな空間を形成することができ、従ってより多量の製品を保持することが可能になる。ここでもまた、塗布が柔らかな一方で比較的高い取り上げ能力を有するアプリケータが得られる。
【００３９】
図３Ａは、本発明のアプリケータ１０の第三の実施態様を示す。本塗布部材は、支持部１１が湾曲している点で図１のアプリケータと異なる。さらに、図３Ｂに詳細に図示されたこのフロック加工層は、長さが同一（約１ｍｍ）で、直径が同一（約０．１ｍｍ）の、円形断面の二種類の繊維１３ｅと１３ｆからなる。繊維１３ｅと１３ｆの性質は同一ではない。繊維１３ｅはコットンからなり、湾曲しており、繊維１３ｆはポリエステルからなり、真っ直ぐである。該混合は、例えば２５重量％の湾曲した繊維１３ｅと７５重量％の直毛繊維１３ｆからなる。従って、フロック加工層の表面は、直毛繊維と湾曲繊維の間に空間１４が形成されていることにより凹凸状に不均一となる。そのような空間により、比較的多量の製品を保持することができる。
【００４０】
図４Ａは、本発明のアプリケータ１０の第四の実施態様を示す。この支持部１１は、柄部の軸Ｙに対して傾斜した軸Ｘを有するヘラの形状をしている。該ヘラは、例えばポリアミドからなる。図４Ｂに図示されたこのフロック加工層は、異なる長さと直径を有する二種類の繊維１３ｇと１３ｈからなる。繊維１３ｇは例えばレーヨン繊維で、長さが約１．２ｍｍ、直径が約０．１ｍｍである。繊維１３ｈは例えばポリエステル繊維で、長さが約０．５ｍｍ、直径が約０．２ｍｍである。該混合は、例えば約７５重量％のより長い繊維１３ｇと約２５重量％のより短い繊維１３ｈからなる。より大きな直径の繊維１３ｈにより、より小さな直径の繊維１３ｇを離間し通気することができる。空間１４は、短い繊維とより長い繊維との間でこのように形成され、よって、比較的高い取り上げ量を有するアプリケータを得ることが可能となる。直径が小さく長さが長い繊維の存在によって、塗布が柔らかいアプリケータを得ることができる。そのようなアプリケータは、例えば液体口紅を塗布するために使用することができる。
【００４１】
図５は、マスカラを塗布するために特に使用することができる、本発明のアプリケータ１０の第五の実施態様を示す。支持部１１は、軸Ｘを有する円錐形状であり、接着により柄部４０に固定されている。支持部は、柄部の軸に沿って形成されている。支持部１１は、多孔質材料からなる。この場合のフロッキングは、異なる性質を有し、長さ、直径および断面が同一の二種類の繊維１３からなる。フロック加工層は、例えば、比較的硬いポリエステル繊維と比較的柔らかいビスコース繊維の混合からなる。この硬さの違いは触れることで知覚でき、フロッキングの表面を押すと、より硬い繊維はほとんど曲がらないのに対し、より柔らかい繊維は指の圧力で曲がる。繊維は、円形断面を有し、長さが約２ｍｍ、直径が約０．１ｍｍである。混合は、約２０重量％のポリエステル繊維と約８０重量％のビスコース繊維からなる。より硬い繊維の存在によって、まつ毛を梳くことが可能となる一方で、硬さがより少ない繊維によって柔らかい塗布が可能になる。
【００４２】
図６Ａは、ポリアミド柄部１４との一体成形により得られるヘラ形状の塗布部材１０を図示する。このヘラは、矩形であって、比較的平坦化されている。その外表面１１は、ヘラの全長にわたって滑らかである。表面の一部分のみ、特に柄部から反対の端部が、フロック加工層によって被覆されている。図６Ｂに拡大図示されたフロック加工層は、性質が同じで、長さが同じで、断面が異なる二種類の繊維１３ｋと１３ｌを混合してなる。繊維１３ｋと１３ｌは、例えば、長さが約１ｍｍのポリアクリル繊維である。繊維１３ｋの断面は円形であるのに対し、繊維１３ｌの断面は十字形状であり、これは図７Ｋに拡大図示されている。この混合は、５０重量％の円形断面の繊維と５０重量％の十字形状断面の繊維からなる。異なる断面形状の繊維を使用することによって、不均一さが生じるので、製品保持能力を高めることができる。特に、製品を保持することができる繊維の外表面面積は同一ではないから、異なる断面を有する繊維は、毛管作用によって保持能力が異なる。特に、断面がくぼみ部分を有する場合、特に図７Ｆに示された中空繊維、「Ｈ」「Ｚ」「Ｖ」形状の断面の繊維（図７Ｃから７Ｅ）、十字形状の断面の繊維（図７Ｇ、７Ｋ）、または図７Ｉ、７Ｊおよび７Ｌに図示された丸くくぼんだ部分を有する断面の繊維の場合には、これらのくぼみ領域における製品の保持能力は、円形、四角（図７Ａ）、三角（図７Ｂ）、あるいは楕円（図７Ｈ）形状の断面を有する表面上での製品保持能力よりも高い。
【００４３】
図８は、支持部２１１がこの場合は球形である塗布装置２１０を含む収容アセンブリ２００の更なる一例を示す。支持部２１１は、容器２２０の首部２２２に装着され、首部の自由端２２３によって画定された開口部２２４から突出している。支持部２１１は、球形の支持部と形状的に適合している首部において「ロールオン」のように回転することができる。支持部２１１は、性質が異なり、長さ、直径および断面が同一の繊維２１３によってフロック加工された層に被覆されている。フロック加工層は、例えば、図５に図示されたような比較的硬いポリエステル繊維と比較的柔らかいビスコース繊維からなる。
【００４４】
上記に図示された全ての実施例は、二種類の繊維の混合に関する。しかし、フロック加工層は、特に意図するメーキャップ結果に応じて、より多くの種類の繊維を使用して得てもよいことは明白である。さらに、塗布部材の表面は複数の種類の混合によって被覆されてもよい。
【００４５】
一方で、繊維の性質、形状および直径を変更することにより、他方で、異なる種類の繊維の混合の比率を変更することにより、非常に多様な塗布表面を得ることができる。このように、フロッキングを構成している繊維の混合を変更するだけで、異なる製品および異なる種類のメーキャップのために使用することができるアプリケータを同一の支持部から製造することができる。
【００４６】
上記の詳細な説明では、本発明の好適な実施態様について説明した。特許請求の範囲に記載した発明の精神を逸脱しないでこれらの実施態様に変更を施すことができることは明らかであろう。特に、本発明の範囲を逸脱しない限り上記の実施態様の特徴の一部ないし全部を組み合わせることができる。
【図面の簡単な説明】
【図１】図１Ａは、本発明の収容塗布アセンブリの第一の実施態様の断面図である。図１Ｂは、図１Ａに図示されたアセンブリの塗布装置の塗布表面の詳細を図示する。
【図２】図２Ａは、本発明の収容塗布アセンブリの第二の実施態様の断面図である。図２Ｂは、図２Ａに図示されたアセンブリの塗布装置の塗布表面の詳細を図示する。
【図３】図３Ａは、本発明の収容塗布アセンブリの第三の実施態様の断面図である。図３Ｂは、図３Ａに図示されたアセンブリの塗布装置の塗布表面の詳細を図示する。
【図４】図４Ａは、本発明の収容塗布アセンブリの第四の実施態様の断面図である。図４Ｂは、図４Ａに図示されたアセンブリの塗布装置の塗布表面の詳細を図示する。
【図５】図５Ａは、本発明の収容塗布アセンブリの第五の実施態様の断面図である。図５Ｂは、図５Ａに図示されたアセンブリの塗布装置の塗布表面の詳細を図示する。
【図６】図６Ａは、本発明の収容塗布アセンブリの第六の実施態様の断面図である。図６Ｂは、図６Ａに図示されたアセンブリの塗布装置の塗布表面の詳細を図示する。
【図７】図７Ａないし７Ｌは、本発明の塗布装置で使用することができる繊維の様々な断面図を図示する。
【図８】図８は、本発明の収容塗布アセンブリの第七の実施態様の断面図である。
【符号の説明】
１０　　　　　アプリケータ
１１　　　　　支持部
１２　　　　　支持部の表面
１３　　　　　繊維
１４　　　　　空間
２０　　　　　リザーバ
２１　　　　　リザーバ底部
２２　　　　　リザーバ首部
２３　　　　　首部の自由端
２４　　　　　リザーバの開口部
３０　　　　　把持部材・袖部
４０　　　　　把持部材・柄部
４１　　　　　拡張部分
５０　　　　　ふき取り部材
５１　　　　　ふき取りリップ
５２　　　　　襟部
２００　　　　アセンブリ
２１０　　　　塗布装置
２１１　　　　支持部
２１３　　　　繊維
２２０　　　　容器
２２２　　　　首部
２２３　　　　首部の自由端
２２４　　　　開口部
１００　　　　塗布アセンブリ
Ｘ　　　　　　軸
Ｐ　　　　　　製品
【図１】
2004000587.tif 000003
【図２】
2004000587.tif 000004
【図３】
2004000587.tif 000005
【図４】
2004000587.tif 000006
【図５】
2004000587.tif 000007
【図６】
2004000587.tif 000008
【図７】
2004000587.tif 000009
【図８】
2004000587.tif 000010